(57)【要約】【課題】不正部材（例えば、「フレキシブル基板」）の使用によるメダルカウントの誤作動を目的とした不正行為を確実に防止できる遊技機を提供する。【解決手段】パチスロ機のメダルセレクタ１００に設けたメダル検出センサに隣接した位置に、物体阻止部材２００を配置し、この物体阻止部材２００により不正部材の発光素子が、メダル検出センサの受光素子に対向することを阻止し、これにより、メダル検出センサによるメダルカウントの誤作動を防止する。【選択図】        図４
2007313117.tif 000002
【特許請求の範囲】
【請求項１】
投入されるメダルが通過するメダル通路の下流に配設されるとともに、一対の発光素子及び受光素子とを有し、前記メダルに対する発光素子による反射光を受光し、メダルの通過を検出するメダル検出手段と、
前記メダルの真偽を判別する真偽判別手段と、
前記真偽判別手段により真と判別されたメダルの通過案内或いは、偽と判別されたメダルを排出側に案内するサブプレートと、
前記偽と判別されたメダルを、メダル払い出し口に案内するキャンセルシュータとを有するメダルセレクタを備えた遊技機において、
前記メダル通路に配設されたメダル検出手段に隣接する位置に設けられ、前記メダルセレクタ内に挿入された不正部材に設けた発光素子が、前記メダル検出手段の受光素子に対向することを阻止する物体阻止手段を備えたことを特徴とする遊技機。
【請求項２】
前記物体阻止手段は、前記メダル検出手段を構成する一対の発光素子と受光素子のうち、少なくとも何れか一方の受光素子に対して、前記不正部材の発光素子が対向しない位置に設けられることを特徴とする請求項１に記載の遊技機。
【請求項３】
前記物体阻止手段は、前記メダル通路上であって、前記メダル検出手段に隣接する位置に固定される取り付け板部を有する略Ｌ字型に形成されるとともに、前記メダル通路上を通過するメダルの厚さ分の通過を許容する寸法であって、且つ、前記不正部材の発光素子が位置する部位の通過を不可とする寸法に設定された通過口が設けられることを特徴とする請求項１または２に記載の遊技機。
【請求項４】
前記メダル検出手段の発光素子と対向する前記物体阻止手段の所定位置には、前記発光素子から照射される光が受光素子に到達しないように傾斜部が形成されていることを特徴とする請求項１、２または３に記載の遊技機。
【請求項５】
前記サブプレートを構成する筐体の一部には、第一の切り欠き部が形成され、当該第一の切り欠き部と対向する位置に、前記物体阻止手段が配置されることを特徴とする請求項１〜４のいずれか一つに記載の遊技機。
【請求項６】
前記キャンセルシュータを構成する筐体の一部には、第二の切り欠き部が形成され、当該第二の切り欠き部と対向する位置に、前記物体阻止手段が配置されることを特徴とする請求項１〜５のいずれか一つに記載の遊技機。
【発明の詳細な説明】
【技術分野】
【０００１】
この発明は、遊技媒体（メダル・パチンコ玉）を用いて遊技を行なうことが可能なパチスロ機やパチンコ機などの遊技機に関し、特に、不正部材（例えば、「フレキシブル基板」など）の使用による不正行為を防止できる遊技機に関する。
【背景技術】
【０００２】
従来より、メダルの投入若しくはＢＥＴボタン押下後にスタートレバーを操作して機械的回転リール（以下、リールと記載する）を回転駆動させるとともに、各リールに対応したストップボタンを押下操作することによって各リールを停止させ、リール表示窓内に停止された図柄の組合せに応じてメダルを払い出すパチスロ機と呼ばれる遊技機が知られている。
【０００３】
このようなパチスロ機の場合、メダル投入口から１〜３枚のメダルが投入されスタートレバーが操作されると、リールを回転駆動させて複数の図柄を変動させるとともに、遊技者によるストップボタンの押下操作に応じて、回転している図柄を停止表示させ、入賞役図柄の組合せが有効ライン上に停止表示された場合には、入賞役に応じた所定枚数のメダルをメダルホッパーから払い出し口を通じて払い出す。ここで、通常、メダル投入口からは、適正なメダル（正規メダル）が投入されるが適正でないメダル（不正メダル）が投入される場合がある。
【０００４】
このため、パチスロ機には、メダルの投入口から投入されたメダルが正規メダルか不正メダルかを判別するとともに、不正メダルをキャンセルシュートを通じてメダル払い出し口から返却し、正規メダルは、メダル枚数としてカウントするとともに、このメダルをメダル通路からメダルホッパー内に貯留するメダルセレクタを備えている。
【０００５】
（従来のメダルセレクタ１００ａの構成）
ここで、図１２−１及び図１２−２を参照して、従来のメダルセレクタ１００ａの構成について簡単に説明する。図１２−１は、メダルセレクタ１００ａの構成を示す平面図を示している。また、図１２−２は、メダルセレクタ１００ａの裏面図をそれぞれ示している。
【０００６】
図１２−１に示すように、メダルセレクタ１００ａは、メダルセレクタ１００ａ本体の外枠筐体を構成するコ字型に成型されたベース板部１１０と、本体表面に形成されメダルが通過するメダルレール１１１を覆うサブプレート１３０（図４）と、不正メダルと判別されたメダルを排出するキャンセルシュータ１４０（図４）とにより構成されている。なお、図１２−１では、メダルセレクタ１００ａの構成を明確にするために、サブプレート１３０及びキャンセルシュータ１４０（図４）を取り除いた図を示している。なお、このメダルセレクタ１００ａの下方には、不正メダルと判別されたメダル及びメダルホッパー２１（図３）から排出されるメダルをメダル払い出し口２０（図１）に払い出すキャンセルシュート３００（図２）が接続されている。
【０００７】
また、ベース板部１１０にはブラケット１０１が取り付け固定され、このブラケット１０１には、メダルセレクタ１００ａにより正規メダルと判別されたメダルを、メダルホッパー２１（図２）に案内する案内路１０２を有するスロープ１０３が一体成形されている。
【０００８】
ベース板部１１０の上流端には、メダル投入口１２（図１）から投入されるメダルを受け入れるメダル入口部１１２が設けられ、このメダル入口部１１２からメダルセレクタ１００ａ内に投入されたメダルは、ベース板部１１０に形成されたメダルレール１１１に沿って下流端に向けて案内される。また、メダルレール１１１のほぼ中間位置には、正規の大きさのメダルをメダルレール１１１の下流にガイドするセレクトプレート１１３が配置されている。また、このセレクトプレート１１３が配置されている部分のメダルレール１１１の表面位置には、通過するメダルにより下方に押し込まれるメダルプレッシャ１１４が配置されている。
【０００９】
これらセレクトプレート１１３及びメダルプレッシャ１１４は、投入されたメダルが規格寸法よりも小さいと、そのメダルをセレクトプレート１１３で案内することなく、メダルプレッシャ１１４によってキャンセルシュータ１４０に押し出す構成となっている。また、投入されたメダルが適正なメダル（正規メダル）の場合、メダルは、セレクトプレート１１３に沿って案内され、メダルプレッシャ１１４を押し込みながら、メダルレール１１１の下流側に案内される。
【００１０】
通常、セレクトプレート１１３は、メダルのガイド位置に位置付けされているが、所定の条件下（例えば、規定枚数のメダル投入時、エラー発生時、遊技開始時など）では、セレクトプレート１１３は、メダルの排出位置に移動し、メダル投入口２１から投入されたメダルを強制的にキャンセルシュータ１４０に排出する。１１６は、メダルレール１１１に配置された磁石で、この磁石１１６に吸着（着磁）したメダルは、規格外のメダル（不正メダル）として、キャンセルシュータ１４０に排出される。
【００１１】
メダルプレッシャ１１４の近傍位置には、フォトセンサ１１７が配置され、このフォトセンサ１１７は、メダルプレッシャ１１４がメダルの通過によって押圧されている間は、メダルの通過信号をパチスロ機１に出力する。すなわち、このフォトセンサ１１７によりメダルセレクタ１００ａの内部でメダル詰まりが発生したり、何らかの不正操作が行われたことを検出する。
【００１２】
また、メダルレール１１１の下流側には、発光素子及び受光素子とを有する２つのメダル検出センサ１２０（ダブル反射型フォトセンサ）が配設されており、このメダル検出センサ１２０により、メダルセレクタ１００ａのメダルレール１１１上を通過するメダルのカウント（メダルの計数）及びメダル詰まりや不正操作などの異常動作を検出する。メダル検出センサ１２０を通過したメダルは、ブラケット１０１に設けられたスロープ１０３を介してメダルホッパー２１（図３）内に貯留される。
【００１３】
また、メダルレール１１１の下流側の表面には、メダルストッパ部１２６及びアフタメダルプレッシャ１２７とが設けられている。このメダル排出位置に位置付けされたセレクトプレート１１３によって、ガイドされることのないメダルは、メダルプレッシャ１１４によって押圧されるとともに、上方に突出したアフタメダルプレッシャ１２７及びメダルストッパ部１２６に当接するため、このメダルは、キャンセルシュータ１４０に向けて排出される。
【００１４】
次に、図１３−１及び図１３−２を参照して、正規メダルと判別されたメダル及び不正メダルと判別されたメダルの通過経路について説明する。すなわち、図１３−１に示すように、メダル投入口１２から投入されたメダルは、メダル入口部１１２からメダルレール１１１を通り、セレクトプレート１１３によりメダルレール１１１の下流に案内され、メダルレール１１１の下流端に設けられたメダル検出センサ１２０によりカウントされるとともに、スロープ１０３の案内路１０２を通じて、メダルホッパー２１（図３）内に貯留される。
【００１５】
一方、図１３−２に示すように、不正メダルの場合、このメダルは、メダル投入口１２からメダルレール１１１を通過するが、セレクトプレート１１３により案内されないために、このメダルは、メダルプレッシャ１１４により押圧され、メダルレール１１１からキャンセルシュータ１４０（図４）内に排出される。上述したように、メダルセレクタ１００のキャンセルシュータ１４０内に落下したメダルは、メダルセレクタ１００ａの下方に接続されたキャンセルシュート３００（図２）を通じてメダル払い出し口２０から返却される。
【００１６】
以上説明したように、メダルセレクタ１００ａは、メダルの真偽を判別するとともに、正規メダルと判別したメダルをメダル検出センサ１２０により検出し（メダル枚数のカウント）、このメダルをメダルホッパー２１に排出する機能及び不正メダルと判別したメダルをキャンセルシュータ１４０からキャンセルシュート３００を通じてメダル払い出し口２０から返却する機能を備えている。
【００１７】
ここで、パチスロ機１による遊技はメダルセレクタ１００ａの内部に設けたメダル検出センサ１２０により検出されたメダルの枚数（メダルカウント）に応じてリールを回転させるため、実際にメダルを投入しなくても、このメダル検出センサ１２０を誤作動させることができれば、メダルを使用することなく遊技を行なうことができる。また、クレジット枚数を満杯（最大、５０枚）にすることができる。このため、従来では、メダル検出センサ１２０の誤作動を目的とした不正用の特殊器具（例えば、「フレキシブル基板」などの不正部材）を使用した不正行為が行なわれることがある。
【００１８】
ここで、上述した不正用の特殊器具（不正部材）の構成について簡単に説明する。図１４−１は、不正用の工具として使用される不正部材１２１（例えば、「フレキシブル基板」）の概要を示す構成図である。同図に示すように、不正部材１２１は、メダルセレクタ１００ａのメダルレール１１１（図１３−１）の形状に合わせて成形された基材１２２と、基材１２２の一方の端部に設けられたスイッチ１２３と、制御回路１２４と、メダル検出センサ１２０の配置に合わせて設けられた２つの発光素子１２５と、この発光素子１２５と制御回路１２４とを接続する信号線１２４ａとを備える。
【００１９】
図１４−２に示すように、不正部材１２１をメダル投入口１２（図１）からメダル検出センサ１２０の位置まで挿入し、発光素子１２５をメダル検出センサ１２０に対向した所で、スイッチ１２３のＯＮ−ＯＦＦを行ない所定間隔で発光素子１２５を発光させる。これにより、発光素子１２５の点滅をメダルの通過として検出されるため、メダルの投入がないのに拘わらずメダルが投入されたものとしてカウントされることとなる。ここで、スイッチ１２３を操作して発光素子１２５を高速で点滅させた場合には、クレジット数は満杯（最大、５０枚）状態となる。
【００２０】
そこで、このような不正部材の使用による不正行為を防止する従来技術として、例えば、特許文献１には、光に発振を変調させ発光した光を受光して復調させることにより、メダルの検出を行なうことで不正にメダルカウントを計上させるなどの不正行為を防止する遊技機について開示されている（特許文献１参照）。
【００２１】
上述した特許文献１に開示された従来技術によると、メダル検出センサの受光部が発振部からの光を受光し、受光された光に対応する信号が復調されなければ、適正なメダルが投入されたものと判定しないため、不正部材の使用による不正行為を的確に判定することができる。
【００２２】
【特許文献１】特開２００５−２７９２４２号公報
【発明の開示】
【発明が解決しようとする課題】
【００２３】
しかしながら、上述した従来技術の場合には、専用のセンサをメダルセレクタに別途設ける必要があるため、部品点数の点でコストが嵩むなどの問題がある。また、このようにメダルセレクタに新たに専用のセンサを設けるなどの対策を施すためには、メダルセレクタを交換する必要があるなど、やはりコスト面で問題がある。さらに、実際には、不正部材をメダルセレクタ内に挿入する操作によっては、従来技術で示されているような信号の復調に基づく対策を行なっても、不正部材に設けている発光素子を直接、メダル検出センサの受光素子に対向させることが可能となるため、依然として、メダルカウントの誤作動を目的とした不正部材による不正行為を防止する対策としては充分とは言えない。
【００２４】
そこで、この発明は、上述した従来技術の課題を解決するためになされたものであり、メダルカウントの誤作動を目的とする不正部材による不正行為を確実に防止できる遊技機を提供することを目的とする。
【課題を解決するための手段】
【００２５】
上述した課題を解決し、目的を達成するため、本発明は、投入されるメダルが通過するメダル通路の下流に配設されるとともに、一対の発光素子及び受光素子とを有し、前記メダルに対する発光素子による反射光を受光し、メダルの通過を検出するメダル検出手段と、前記メダルの真偽を判別する真偽判別手段と、前記真偽判別手段により真と判別されたメダルの通過案内或いは、偽と判別されたメダルを排出側に案内するサブプレートと、前記偽と判別されたメダルを、メダル払い出し口に案内するキャンセルシュータとを有するメダルセレクタを備えた遊技機において、前記メダル通路に設けたメダル検出手段に隣接する位置に配設され、メダルセレクタ内に挿入された不正部材に設けた発光素子が、前記メダル検出手段の受光素子に対向することを阻止する物体阻止手段を備えたことを特徴とする。
【００２６】
本発明によれば、メダルセレクタのメダルレール上に設けたメダル検出手段に隣接した位置に物体阻止手段を配置し、この物体阻止手段により不正部材の先端部（発光素子）が、メダル検出手段の位置まで到達することを阻止するとともに、不正部材の発光素子がメダル検出手段の受光素子に対向することを阻止するので、不正部材（例えば、「フレキシブル基板」）の使用によるメダルカウントの誤作動を目的とした不正行為を確実に防止することができる。
【００２７】
また、請求項２に係る発明は、上記の発明において、前記物体阻止手段は、前記メダル検出手段を構成する一対の発光素子と受光素子のうち、少なくとも何れか一方の受光素子に対して、前記不正部材の発光素子が対向しない位置に設けられることを特徴とする。
【００２８】
本発明によれば、物体阻止手段は、メダル検出手段を構成する一対の発光素子と受光素子のうち、少なくとも何れか一方の受光素子に対して、不正部材の発光素子が対向しない位置に設けられるので、２つのセンサのうち少なくとも一方の受光素子を物体阻止手段の一部により覆うこととなるため、これにより、簡易な構成により不正部材による不正行為を防止することができる。
【００２９】
また、請求項３に係る発明は、上記の発明において、前記物体阻止手段は、前記メダル通路上であって、前記メダル検出手段に隣接する位置に固定される取り付け板部を有する略Ｌ字型に形成されるとともに、前記メダル通路上を通過するメダルの厚さ分の通過を許容する寸法であって、且つ、前記不正部材の発光素子が位置する部位の通過を不可とする寸法に設定された通過口が形成されることを特徴とする。
【００３０】
本発明によれば、物体阻止手段を構成する取り付け板部には、メダル通路上を通過するメダルの厚さ分の通過を許容する寸法であって、且つ、不正部材の発光素子が位置する部位の通過を不可とする寸法に設定された通過口が形成されているので、メダルの通過は可能となり、メダル以外の不正部材の通過は阻止することができる。これによって、不正部材の発光素子がメダル検出センサの受光素子と対向することを阻止することができるため、メダルカウントの誤作動を目的とした不正行為を確実に防止することができる。
【００３１】
また、請求項４に係る発明は、上記の発明において、前記メダル検出手段の発光素子と対向する前記物体阻止手段の所定位置には、前記発光素子から照射される光が受光素子に到達しないように傾斜部が形成されていることを特徴とする。
【００３２】
本発明によれば、物体阻止手段を構成する部材の一部には傾斜部が形成され、この傾斜部により、メダル検出手段の発光素子から照射される光は、傾斜部により反射され、受光素子に入光されないため、通常のメダルの検出を阻害することなく、物体阻止手段の配置によるメダルカウントの誤作動を防止することができる。
【００３３】
また、請求項５に係る発明は、上記の発明において、前記物体阻止手段が配置された部位に対応する前記サブプレートを構成する筐体の部位には、第一の切り欠き部が形成されることを特徴とする。
【００３４】
本発明によれば、サブプレートを構成する筐体の一部には第一の切り欠き部が形成され、当該切り欠き部が形成された部位に、物体阻止手段が配置されるので、物体阻止手段が配置された状態でも、この物体阻止手段とサブプレートとが干渉することはなく、これにより、サブプレートの動作（開閉）を妨げることを防止することができる。
【００３５】
また、請求項６に係る発明は、上記の発明において、前記キャンセルシュータを構成する筐体の一部には第二の切り欠き部が形成され、当該切り欠き部と対向する位置に、前記物体阻止手段が配置されることを特徴とする。
【００３６】
本発明によれば、キャンセルシュータを構成する筐体の一部には第二の切り欠き部が形成され、当該第二の切り欠き部が形成された部位に、物体阻止手段が配置されるので、物体阻止手段が配置された状態でも、この物体阻止手段とキャンセルシュータとは干渉することはなく、これにより、物体阻止手段を配置した状態のままキャンセルシュータの着脱作業を行なうことができる。これにより、従来のメダルセレクタをそのまま使用できるため、コストが嵩むことを防止することができる。
【発明の効果】
【００３７】
本発明の遊技機は、メダル検出手段の近傍位置に不正部材の侵入（移動）を阻止する物体阻止手段を設けたので、不正部材によるメダルカウントの誤作動を目的とした不正行為を確実に防止することができる。
【発明を実施するための最良の形態】
【００３８】
以下に添付図面を参照して、本発明に係る遊技機の実施例１を詳細に説明する。なお、本発明は、メダル、コイン、遊技玉又はトークンなどを遊技媒体として用いる各種遊技機に適用することができるが、ここでは、本発明をメダルを遊技媒体として用いるパチスロ機に適用した場合について説明する。
【実施例１】
【００３９】
[パチスロ機１の全体構成]
先ず、実施例１に係るパチスロ機１の外観構成と内部構成について詳細に説明する。図１は、実施例１に係るパチスロ機１の外観構成を示す斜視図を示している。また、図２は、前面ドアの内部構成の正面図を、図３は、パチスロ機１の内部構成の正面図を、それぞれ示している。
【００４０】
図１、２に示すように、パチスロ機１の全体を形成している筐体は、箱状のキャビネット１ａと、このキャビネット１ａの前部に形成した開口を開閉する前面ドア２とを備える。また、パチスロ機１の上部には、左右対称位置にスピーカ６Ｌ，６Ｒが設けられており、これらのスピーカ６Ｌ，６Ｒは、遊技時の演出に関する効果音や音声などによる演出音を出力するように構成されている。
【００４１】
図１に戻り、パチスロ機１の前面部には、略垂直面をなすパネル表示部２ａ及び液晶表示部２ｂが設けられている。パネル表示部２ａには、リール表示窓４Ｌ，４Ｃ，４Ｒが設けられ、このリール表示窓４Ｌ，４Ｃ，４Ｒには、水平方向にトップライン５ｂ、センターライン５ｃ及びボトムライン５ｄの表示ラインが設けられ、斜め方向にクロスアップライン５ａ及びクロスダウンライン５ｅの表示ラインが設けられる。
【００４２】
後述するように、遊技者がメダル投入口１２に１枚又は２枚のメダルを投入した場合には、それぞれ１本（センターライン５ｃ）又は３本（トップライン５ｂ、センターライン５ｃ及びボトムライン５ｄ）の表示ラインが有効となる。また、遊技者が３−ＢＥＴボタン１５を押下操作するか又は遊技者がメダル投入口１２に３枚のメダルを投入すると、５本の各ライン５ａ〜５ｅが有効となる。なお、これら各ライン５ａ〜５ｅは役の成否に関わる。また、液晶表示部２ｂは、パチスロ遊技時の各種演出や待機時のデモ表示などを行なう。
【００４３】
前面ドア２の背後には、複数種類の図柄が各々の外周面に描かれた３個のリール３Ｌ，３Ｃ，３Ｒが回転自在に横一列に設けられており、各リール３Ｌ，３Ｃ，３Ｒは、一定の速度（例えば、８０回転／分）で回転する。これら３個のリール３Ｌ，３Ｃ，３Ｒによりリールユニット３が構成される。各リール３Ｌ，３Ｃ，３Ｒは、リール表示窓４Ｌ，４Ｃ，４Ｒから目視することができ、各リール３Ｌ，３Ｃ，３Ｒが回転中であり、停止ボタン１８Ｌ，１８Ｃ，１８Ｒが押下操作可能である場合には、遊技者がリール３Ｌ，３Ｃ，３Ｒ上の図柄を視認できるように透過状態となる。
【００４４】
また、パネル表示部２ａ及び液晶表示部２ｂの下方には、略水平面をなす台座部１１が設けられている。この台座部１１の右側には、メダルを投入するためのメダル投入口１２が設けられており、このメダル投入口１２に投入されたメダルは、クレジットされるか又はゲームに賭けられる。
【００４５】
メダル投入口１２は、メダルセレクタ１００を構成するメダル通路（図示せず）に連絡されており、このメダルセレクタ１００によりメダル投入口１２から投入されたメダルが正規メダルか不正メダルであるかをメダルの大きさや磁性特性などにより判別することができる。また、メダル投入口１２の形成位置にあるメダル返却ボタン１２ａを押下することにより、例えば、メダルセレクタ１００内で詰まったメダルなどをメダル払い出し口２０から返却させることができる。
【００４６】
また、台座部１１の左側には、クレジットされているメダルを賭けるための１枚賭け用の１−ＢＥＴボタン１３と、２枚賭け用の２−ＢＥＴボタン１４と、３枚賭け用の３−ＢＥＴボタン１５とが設けられている。３−ＢＥＴボタン１５は、所謂ＭＡＸ−ＢＥＴボタンであり、１回の押下操作によりクレジットされたメダルから１ゲームに賭け得る最大枚数のメダル（通常は３枚）が賭けられる。かかる１−ＢＥＴボタン１３，２−ＢＥＴボタン１４，３−ＢＥＴボタン１５を押下操作するか若しくは３枚のメダルがメダル投入口１２に投入されると、所定のライン５ａ〜５ｅが有効化される。
【００４７】
台座部１１の前面部の左寄りには、遊技者がゲームで獲得したメダルをクレジットするか、クレジットしたメダルを払い出すかを押下操作で切り換えるＣ／Ｐボタン１６が設けられている。所定枚数のメダルがクレジットされた状態でＣ／Ｐボタン１６が押下されると、クレジットが無効化され該クレジットされた枚数分のメダルが正面下部に開口したメダル払い出し口２０からメダル受け部１９に投出される。また、クレジットが無効化された状態でこのＣ／Ｐボタン１６が押下されると、クレジットが有効となる。このＣ／Ｐボタン１６の右側には、遊技者の操作によりリール３Ｌ〜３Ｒを回転駆動させるスタートレバー１７が所定の角度範囲で回動自在に取り付けられている。
【００４８】
台座部１１の前面部中央で、スタートレバー１７の右側には、３個のリール３Ｌ，３Ｃ，３Ｒの回転をそれぞれ停止させるための３個の停止ボタン１８Ｌ，１８Ｃ，１８Ｒが設けられている。なお、１ゲーム（単位遊技）は、スタートレバー１７が操作されることによって開始され、全てのリール３Ｌ，３Ｃ，３Ｒが停止したときに終了する。
【００４９】
また、パネル表示部２ａには、ボーナス回数表示部８、ＢＥＴランプ７ａ〜７ｃ、クレジット表示部９及び払出枚数表示部１０が設けられている。ボーナス回数表示部８は、７セグメントＬＥＤにより形成されておりボーナス中の遊技情報を表示する。
【００５０】
ＢＥＴランプ７ａ〜７ｃは、１ゲームを行なうために賭けられたメダル数（以下「ＢＥＴ数」と言う）に応じて点灯するランプであり、具体的には、１−ＢＥＴランプ７ａはＢＥＴ数が１の時に点灯し、２−ＢＥＴランプ７ｂはＢＥＴ数が２以上である場合に点灯し、３−ＢＥＴランプ７ｃはＢＥＴ数が３以上である場合に点灯する。
【００５１】
また、クレジット表示部９及び払出枚数表示部１０は、それぞれ７セグメントのＬＥＤにより形成され、クレジット表示部９にはクレジットされている残メダル枚数が表示される。ここで、通常は、パチスロ機１にクレジットされる最大枚数は５０枚であるので、このクレジット表示部９に表示されるクレジット枚数は５０以下となる。なお、最大枚数の５０枚のメダルがクレジットされている状態で、メダルを投入してもそのまま払い出される。また、払出枚数表示部１０には入賞が成立した時のメダル払出枚数が表示される。
【００５２】
図２に示すように、前面ドア２の片側（図２の左側）には、メダルセレクタ１００と、このメダルセレクタ１００の下流端に接続されたキャンセルシュート３００とが設けられている。メダルセレクタ１００は、メダル投入口１２から投入されたメダルが、メダルセレクタ１００の内部に形成されたメダル通路を通過する際に、メダルの真偽を判別し、正規メダルと判別されたメダルをカウントするとともに、メダルセレクタ１００の排出側に接続しているメダルホッパー２１（図３）まで案内されて貯留される。
【００５３】
一方、メダルセレクタ１００により不正メダルと判別されたメダルは、メダルセレクタ１００の下方に設けたキャンセルシュータ１４０を通じて、キャンセルシュート３００の内部に落下させる機能を備えている。
【００５４】
キャンセルシュート３００は、キャンセルシュータ１４０を通じて落下したメダルをメダル払い出し口２０から排出し返却する機能を備えている。また、このキャンセルシュート３００は、メダルホッパー２１から払い出されたメダルをメダル払い出し口２０からメダル受け部１９に払い出す機能を備えている。図３に示すように、キャビネット１ａの内部に設けられたリールユニット３の下側にはメダルホッパー２１（メダル払出装置）が設置されている。
【００５５】
メダルホッパー２１は、メダルを貯留するホッパータンク２１ａと、このホッパータンク２１ａに貯留されたメダルを排出するホッパー本体２２とを有している。また、このホッパー本体２２の内部には、メダル排出機構（図示せず）が設けられており、パチスロ遊技による遊技結果（入賞役）に応じて払い出されるメダルを排出ノズル２３を通じてキャンセルシュート３００に排出するように構成されている。前述したように、ホッパー本体２２の排出ノズル２３から排出されたメダルは、キャンセルシュート３００から前面ドア２の下方部に開口したメダル払い出し口２０を介して、メダル受け部１９に払い出される。また、キャビネット１ａの底部の左側には、パチスロ機１のキャビネット１ａ内に装着された各部品に電力を供給する電源部２４が設けられている。
【００５６】
（メダルセレクタ１００の構成）
次に、図４〜図７を参照して、本実施例１のパチスロ機１に備えているメダルセレクタ１００の構成及び特徴について説明する。図４は、メダルセレクタ１００の全体構成を示す斜視図を、図５は、キャンセルシュータ１４０の構成を示す斜視図をそれぞれ示している。また、図６は、メダルセレクタ１００を構成するキャンセルシュータ１４０を取り外した状態を示す斜視図を、図７は、図６の状態からサブプレート１３０及びキャンセルシュータ１４０を取り外した状態を示す平面図をそれぞれ示している。
【００５７】
ここで、本実施例１のパチスロ機１に備えたメダルセレクタ１００の特徴は、メダル投入口１２（図１）から挿入された不正部材１２１（例えば、「フレキシブル基板」）の発光素子１２５（図１５−１）をメダル検出センサ１２０の受光素子１２０ｂに対向させない構造を有する物体阻止部材２００（請求項１から請求項７に記載の「物体阻止手段」に対応する。）を備えたことにある。このため、以下では、この物体阻止部材２００の構成及び特徴を中心に説明する。なお、メダルセレクタ１００を構成する各部の構成要件において、前述した従来のメダルセレクタ１００ａと同様の構成要件については、その構成及び機能の詳細については、省略する。
【００５８】
図４に示すように、メダルセレクタ１００は、メダルセレクタ１００本体の外枠筐体を構成するコ字型に成型されたベース板部１１０と、本体表面に形成されメダルが通過するメダルレール１１１を覆うサブプレート１３０と、不正メダルと判別されたメダルを排出するキャンセルシュータ１４０とにより構成されている。キャンセルシュータ１４０は、メダルセレクタ１００の下方部を覆うように設けられている。
【００５９】
なお、前述したように、キャンセルシュータ１４０の下方には、このキャンセルシュータ１４０から落下する不正メダルと判別されたメダル或いは、メダルホッパー２１から排出されるメダルを、メダル払い出し口２０（図１）から返却或いは、払い出すキャンセルシュート３００（図２）が接続されている。
【００６０】
図４及び図５に示すように、キャンセルシュータ１４０は、略コ字型に構成された本体部１４１と側板部１４２とを有し、このうち片側（図４、５の右側）の側板部１４２には、切り欠き部１４３が形成され、この切り欠き部１４３に物体阻止部材２００の一部が嵌入するようになっている。このように、キャンセルシュータ１４０を構成する側板部１４２に切り欠き部１４３を設けることにより、物体阻止部材２００を配置した状態のままキャンセルシュータ１４０の着脱作業を行なうことができる。
【００６１】
すなわち、この切り欠き部１４３に物体阻止部材２００の一部を嵌入させることで、メダルレール１１１上に物体阻止部材２００が配置された状態でも、キャンセルシュータ１４０と干渉することはなく、物体阻止部材２００を配置した状態のままキャンセルシュータ１４０の着脱作業を行なうことができる。
【００６２】
また、図６に示すように、サブプレート１３０は、平板状の本体部１３１とＬ字状の側板部１３２とを有し、このうち側板部１３２には、切り欠き部１３３が形成されている。同図に示すように、通常時、サブプレート１３０は、ベース板部１１０に固設された軸部１１０ａに巻装されたばね部材１１０ｂによる弾力により、ベース板部１１０に押し付けられており、メダルを通過させるガイド板として機能する。一方、例えば、メダルセレクタ１００内にメダル詰まりが生じた場合、メダル返却ボタン１２ａ（図１）を押すことにより、サブプレート１３０をばね部材１１０ｂの弾力に抗して開放させることができ、このサブプレート１３０の開放により詰まったメダルをキャンセルシュータ１４０(図４)内に排出させることができる。前述したように、このキャンセルシュータ１４０内に排出されたメダルは、キャンセルシュート３００を通じてメダル払い出し口２０（図１）から返却される。
【００６３】
ここで、サブプレート１３０を構成する側板部１３２に切り欠き部１３３を設けているのは、この切り欠き部１３３に物体阻止部材２００の一部を嵌入自在とすることで、サブプレート１３０が動作（開閉）した場合でも、このサブプレート１３０と物体阻止部材２００との干渉を回避させることにより、サブプレート１３０の動作不良などを防止するためである。
【００６４】
また、図７に示すように、メダルレール１１１のほぼ中間位置には、正規の大きさのメダルのみをメダルレール１１１の下流にガイドするセレクトプレート１１３が配置されている。このセレクトプレート１１３が配置されている部分のメダルレール１１１の表面位置には、通過するメダルにより下方に押し込まれるメダルプレッシャ１１４が配置されている。
【００６５】
これらのセレクトプレート１１３及びメダルプレッシャ１１４は、投入されたメダルが規格寸法よりも小さいと、そのメダルをセレクトプレート１１３で案内することなく、メダルプレッシャ１１４によってキャンセルシュータ１４０(図４)に排出する。また、投入されたメダルが適正なものである場合、そのメダルは、セレクトプレート１１３に沿って案内され、メダルプレッシャ１１４を押し込みながら、メダルレール１１１の下流側に案内される。
【００６６】
メダルレール１１１の下流端には、メダルの通過を検出する２つのメダル検出センサ１２０（ダブル反射型フォトセンサ）が配置されている。このメダル検出センサ１２０は、発光素子１２０ａ及び受光素子１２０ｂとを有し（図８）、メダルがメダルレール１１１を通過して、このメダル検出センサ１２０にまで到達した時に、メダルに対して発光素子１２０ａから光を照射するとともに、メダルにより反射した反射光を受光素子１２０ｂにより受光することで、メダルを検出する機能を備えている(メダル枚数のカウント)。具体的には、２つのメダル検出センサ１２０により時間差で検出されたメダルの検出時間を取得することで、実際にメダルが通過したか否かの検出を行なっている。
【００６７】
次に、図７とともに、図８及び図９−1及び図９−２を参照して、物体阻止部材２００の取り付け位置及び構成の詳細について説明する。図８は、図７の状態から物体阻止部材２００を取り外した状態を示す平面図を、図９−1は、物体阻止部材２００の構成を示す斜視図をそれぞれ示している。また、図９−２は、物体阻止部材２００の構成を示す側面図をそれぞれ示している。
【００６８】
図７に示すように、メダルレール１１１の下流位置であって、メダル検出センサ１２０の近傍位置（メダル検出センサ１２０の上方位置）には、物体阻止部材２００が配置されている。物体阻止部材２００は、略Ｌ字型に構成された本体部２１０と取り付け板部２２０とを有し、このうち本体部２１０は、上板部２１１と側板部２１２とを有している。また、取り付け板部２２０には、取り付けネジを使用して、物体阻止部材２００をベース板部１１０のねじ孔２３０に取り付けるための、通孔２２１及びベース板部１１０に形成されたボス２４０を嵌入させるための通孔２２２とがそれぞれ形成されている（図９−１参照）。また、上板部２１１には、外方に向けて傾斜する傾斜部２１３が形成されている（図９−２参照）。
【００６９】
一方、図８に示すように、メダル検出センサ１２０の近傍に位置するベース板部１１０（メダル検出センサ１２０の上方位置）には、上述した取り付け板部２２０の通孔２２１と対向するねじ孔２３０が形成されるとともに、同じく、通孔２２２に対向するボス２４０とがそれぞれ設けられている。物体阻止部材２００をメダルセレクタ１００に取り付ける場合、取り付け板部２２０の通孔２２２にボス２４０を嵌入させ位置決めを行なった後、取り付けネジを通孔２２１に挿通させるとともに、この取り付けネジをねじ孔２３０に螺合する。これにより、取り付け板部２２０をベース板部１１０に取り付け固定することができ、物体阻止部材２００を、図７に示す所定の位置に設けることができる。
【００７０】
ここで、図７に示すように、物体阻止部材２００をベース板部１１０に取り付けた状態では、２つのメダル検出センサ１２０を構成する２つの受光素子１２０ｂのうちの一方の受光素子１２０ｂを物体阻止部材２００の上板部２１１により塞ぐ構成となっている。
【００７１】
また、図９−２に示すように、メダルセレクタ１００に物体阻止部材２００を取り付けた状態では、物体阻止部材２００の側板部２１２に形成された凹部２１４により側板部２１２の底部とメダルレール１１１（ベース板部１１０）との間には、メダルの厚さ寸法とほぼ同一寸法の隙間Ｔが形成される。これにより、物体阻止部材２００がベース板部１１０に配置された状態でも、この隙間Ｔを通じてメダルを通過させることができる。ここで、この隙間Ｔの厚さ寸法は、メダルを通過させる厚さ寸法であるが、不正部材１２１（図１５−１）を構成する基材１２２の先端部（発光素子１２５）の厚さ寸法よりも小さくなるように設定されているため、この不正部材１２１の先端部を物体阻止部材２００の凹部２１４内に侵入させることはできない。
【００７２】
従って、不正部材１２１の先端部をメダル検出センサ１２０に近接させようとしても、この不正部材１２１の先端部は、側板部２１２の凹部２１４を通過させることができないため、不正部材１２１の発光素子１２５をメダル検出センサ１２０の受光素子１２０ｂと対向させることはできない。これにより、不正部材１２１によってメダルカウントの誤作動を行なう不正行為を防止することができる。
【００７３】
ここで、本実施例１では、メダル検出センサ１２０の近傍位置に物体阻止部材２００を配置しているため、メダルの通過がない場合でも、物体阻止部材２００の上板部２１１にメダル検出センサ１２０の発光素子１２０ａによる反射光が受光素子１２０ｂに入光することが考えられる。そして、この場合には、メダルの通過がないにも拘わらずメダルの検出が行なわれてしまう。つまり、物体阻止部材２００によりメダル検出センサ１２０の誤作動が生じることとなる。
【００７４】
このため、このような物体阻止部材２００によるメダル検出センサ１２０の誤作動を回避するために物体阻止部材２００の上板部２１１には、傾斜部２１３を形成している。すなわち、図９−２に示すように、物体阻止部材２００を構成する上板部２１１には、外方に向けて傾斜する傾斜部２１３が形成されており、このように上板部２１１に傾斜部２１３を形成することにより、メダル検出センサ１２０の発光素子１２０ａからの光は、傾斜部２１３により反射するため、受光素子１２０ｂに入光することはなく、メダル検出センサ１２０の誤作動を回避する構成としている。
【００７５】
次に、図１０−１及び図１０−２を参照して、物体阻止部材２００による不正部材１２１に対する作用効果を説明する。図１０−１は、メダルセレクタ１００の内部に不正部材１２１が挿入された状態を、図１０−２は、不正部材が物体阻止部材２００に近接した状態を示す説明図である。
【００７６】
すなわち、図１０−１に示すように、メダル投入口１２（図１）から挿入された不正部材１２１は、メダル入口部１１２からメダルセレクタ１００の内部を移動し、メダル検出センサ１２０の配設位置に向かって移動することとなるが（実際には、図４に示すサブプレート１３０を持ち上げた状態で移動する。）、このメダル検出センサ１２０に隣接した位置には、物体阻止部材２００が設けられているため、図１０−２に示すように、メダル検出センサ１２０の位置まで移動した不正部材１２１の先端部（発光素子１２５）は、側板部２１２（図９−２）の凹部２１４を通過することができないため、不正部材１２１の発光素子１２５をメダル検出センサ１２０の受光素子１２０ｂと対向させることはできない。これにより、メダル検出センサ１２０を誤作動させる不正行為を防止することができる。
【００７７】
［パチスロ機１の電気的構成：主制御回路７１］
次に、図１１を参照して、図１に示したパチスロ機１の電気的構成について説明する。図１１は、実施例１に係るパチスロ機１の電気的構成（電気回路）を示すブロック図を示している。同図に示すように、パチスロ機１を構成する電気回路は、パチスロ機１の遊技処理動作を全体的に制御する主制御回路７１と、この主制御回路７１に電気的に接続される各種の周辺装置（アクチュエータ）と、主制御回路７１から送信される制御指令に基づいて液晶表示部２ｂとスピーカ６Ｌ，６ＲとＬＥＤ類２０１及びランプ類２０２を制御する副制御回路７２とが含まれる。
【００７８】
主制御回路７１と各種の制御基板及び各種の周辺装置（アクチュエータ）は、Ｉ／Ｏポート３８を介して、電気的に各種信号を入出力可能に接続されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＡＭ３２とＲＯＭ３３とを有する。
【００７９】
ＣＰＵ３１には、基準クロックパルスを発生するクロックパルス発生回路３４及び分周器３５と、サンプリングされる乱数を発生する乱数発生器３６及びサンプリング回路３７とが接続されている。
【００８０】
乱数発生器３６は、一定の数値範囲に属する乱数を発生し、サンプリング回路３７は、スタートレバー１７が操作された後の適宜のタイミングで乱数をサンプリングする。こうしてサンプリングされた乱数を使用することにより、例えば、ＲＯＭ３３内に格納されている確率抽籤テーブルなどに基づいて内部当籤役などが決定される。なお、マイクロコンピュータ３０内のＣＰＵ３１上で乱数サンプリング用プログラムを実行してソフトウエア的に乱数サンプリングを行うこともできる。この場合、乱数発生器３６及びサンプリング回路３７を省略することができる。
【００８１】
マイクロコンピュータ３０のＲＯＭ３３には、副制御回路７２へ送信するための各種制御指令及びスタートレバー１７を操作（スタート操作）する毎に行われる乱数サンプリングの判定に用いられる確率抽籤テーブルや停止用当籤役決定テーブル、停止ボタン１８Ｌ，１８Ｃ，１８Ｒの操作に応じてリールの停止態様を決定するための停止テーブル群などが格納されている。なお、副制御回路７２が主制御回路７１へ制御指令や情報等を入力することはなく、主制御回路７１から副制御回路７２への一方向で通信が行われる。
【００８２】
さらに、このＲＯＭ３３内には、表示役に対応する各種の図柄の組合せと、メダルの配当枚数と、その入賞（成立）を表わす入賞判定コード（成立判定コード）とが対応付けられた表示役特定テーブルが格納されている。この表示役特定テーブルは、左のリール３Ｌ，中央のリール３Ｃ，右のリール３Ｒの停止制御時並びに全リール３Ｌ，３Ｃ，３Ｒの停止後の表示役の確認を行なう際に参照される。表示役（表示役データ）は、有効ラインに沿って並ぶ図柄組合せに対応する役（成立役）であり、遊技者にはこの表示役に対応する利益が付与される。また、ＲＡＭ３２には、パチスロ機１の入賞に係わる内部当籤役、持越役、現在の遊技状態などの種々の情報が格納される。
【００８３】
マイクロコンピュータ３０からの制御信号により動作が制御される主要なアクチュエータとしては、ＢＥＴランプ（１−ＢＥＴランプ７ａ、２−ＢＥＴランプ７ｂ、３−ＢＥＴランプ７ｃ）と、ボーナス回数表示部８、クレジット表示部９、払出枚数表示部１０などの表示部と、メダルを収納しホッパー駆動回路４６の命令により所定枚数のメダルを払出すメダルホッパー２１（払出しのための駆動部を含む）と、リール３Ｌ，３Ｃ，３Ｒを回転駆動するステッピングモータ４９Ｌ，４９Ｃ，４９Ｒとがある。
【００８４】
また、ステッピングモータ４９Ｌ，４９Ｃ，４９Ｒを駆動制御するモータ駆動回路５０、メダルホッパー２１を駆動制御するホッパー駆動回路４６、ＢＥＴランプ（１−ＢＥＴランプ７ａ、２−ＢＥＴランプ７ｂ、３−ＢＥＴランプ７ｃ）を駆動制御するランプ駆動回路４５並びにボーナス回数表示部８、クレジット表示部９、払出枚数表示部１０などの表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００８５】
また、マイクロコンピュータ３０へは、スタートスイッチ１７Ｓ、ＢＥＴスイッチ（１−ＢＥＴスイッチ１３Ｓ、２−ＢＥＴスイッチ１４Ｓ、３−ＢＥＴスイッチ１５Ｓ）、リール位置検出回路４９、払出完了信号回路４７から入力信号が入力され、これらに基づいて制御指令が発生される。
【００８６】
スタートスイッチ１７Ｓは、スタートレバー１７の操作を検出するスイッチであり、メダルセンサ１２Ｓは、メダル投入口１２に投入されたメダルを検出するセンサである。ＢＥＴスイッチ１３Ｓ，１４Ｓ，１５Ｓは、１−ＢＥＴボタン１３，２−ＢＥＴボタン１４，３−ＢＥＴボタン１５の背面に設けられ各１−ＢＥＴボタン１３，２−ＢＥＴボタン１４，３−ＢＥＴボタン１５の操作に応じて信号を発生するスイッチである。
【００８７】
Ｃ／Ｐスイッチ１６Ｓは、Ｃ／Ｐボタン１６の背面に設けられＣ／Ｐボタン１６の操作に応じて信号を発生するスイッチである。リール位置検出回路４９は、リール回転センサからのパルス信号を受けて各リール３Ｌ，３Ｃ，３Ｒの位置を検出するための信号をＣＰＵ３１へ供給する回路である。払出完了信号回路４７は、メダルホッパー２１から払出されたメダルの枚数が指定された枚数データに達した時にメダル払出完了を示す信号を発生する。
【００８８】
リール３Ｌ，３Ｃ，３Ｒの回転が開始された後、ステッピングモータ４９Ｌ，４９Ｃ，４９Ｒの各々に供給される駆動パルスの数が計数され、その計数値がＲＡＭ３２の所定エリアに書き込まれる。リール３Ｌ，３Ｃ，３Ｒからは一回転毎にリセットパルスが得られ、これらのパルスはリール位置検出回路４９を介してＣＰＵ３１に入力される。このようにして得られたリセットパルスにより、ＲＡＭ３２で計数されている駆動パルスの計数値が“０”にクリアされる。これにより、ＲＡＭ３２内には、各リール３Ｌ，３Ｃ，３Ｒについて一回転の範囲内における回転位置に対応した計数値が格納される。
【００８９】
上記のようなリール３Ｌ，３Ｃ，３Ｒの回転位置とリール外周面上に描かれた図柄とを対応づけるために、図柄テーブル（図示せず）が、ＲＯＭ３３内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応付けられている。
【００９０】
ＣＰＵ３１は、上記乱数サンプリングに基づく抽籤処理（確率抽籤処理など）により内部当籤役や停止用当籤役を決定したならば、遊技者が停止ボタン１８Ｌ，１８Ｃ，１８Ｒを操作したタイミングで停止スイッチ１８ＬＳ，１８ＣＳ，１８ＲＳから送られる操作信号並びに決定された停止テーブルに基づいて、リール３Ｌ，３Ｃ，３Ｒを停止制御する信号をモータ駆動回路５０に送出する。ただし、遊技者によるコマンドの入力を受け付ける場合には、ＣＰＵ３１は、遊技者が停止ボタン１８Ｌ，１８Ｃ，１８Ｒを操作したとしても、リール３Ｌ，３Ｃ，３Ｒを停止制御する信号をモータ駆動回路５０に送出しない。
【００９１】
また、ＣＰＵ３１は、当籤した役の入賞を示す停止態様（即ち入賞態様）になれば、払出指令信号をホッパー駆動回路４６に供給してメダルホッパー２１から所定枚数のメダルの払出を行う。払出完了信号回路４７は、 メダル検出部２１Ｓの計数値（メダルホッパー２１から払い出されたメダルの枚数）が指定された枚数データに達した時、メダル払出完了信号を検知するための信号を発生する。すなわち、メダル検出部２１Ｓは、メダルホッパー２１から払出されるメダルの枚数を計数し、その計数値が指定された数に達した時にメダル払出完了信号を、払出完了信号回路４７を介して、ＣＰＵ３１に入力される。これにより、ＣＰＵ３１は、ホッパー駆動回路４６を介してメダルホッパー２１の駆動を停止し、メダル払出処理を終了することになる。副制御基板７２は、画像表示やランプ表示および音声出力を含む遊技の演出を制御する機能を備えている。具体的には、主制御基板７１から送信される制御指令に基づいて液晶表示部２ｂ、スピーカ６Ｌ，６Ｒおよび各種のＬＥＤ類やランプ類を制御する。
【００９２】
[発明の効果]
上述してきたように、本発明によれば、メダルセレクタ１００の内部に設けたメダル検出センサ１２０に隣接した位置に、物体阻止部材２００を配置し、メダルセレクタ１００内に不正部材１２１が挿入された場合でも、この物体阻止部材２００により不正部材１２１の発光素子１２５が、メダル検出センサ１２０の受光素子１２０ｂに対向することを阻止するので、メダル以外の不正部材を対象として、メダル検出センサ１２０による誤作動を防止することができ、これにより、メダルカウントの誤作動を目的とした不正行為を確実に防止することができる。
【産業上の利用可能性】
【００９３】
以上のように、本発明に係る遊技機は、メダルカウントの誤作動を目的とした不正行為を確実に防止できる遊技機に適する。
【図面の簡単な説明】
【００９４】
【図１】実施例１に係るパチスロ機の外観構成を示す全体斜視図である。
【図２】実施例１に係る前面ドアの構成を示す正面図である。
【図３】実施例１に係るパチスロ機の内部構成を示す正面図である。
【図４】実施例１に係るメダルセレクタの構成を示す斜視図である。
【図５】キャンセルシュータの全体構成を示す斜視図である。
【図６】キャンセルシュータを除いたメダルセレクタの構成を示す平面図である。
【図７】セレクトプレート及びキャンセルシュータを除いたメダルセレクタの構成を示す平面図である。
【図８】図７に示す物体阻止部材を除いた状態を示す平面図である。
【図９−１】物体阻止部材の全体構成を示す斜視図である。
【図９−２】物体阻止部材の要部を示す側面図である。
【図１０−１】不正部材の侵入状態を示す説明図である。
【図１０−２】不正部材が物体阻止部材に近接した状態を示す説明図である。
【図１１】実施例１に係る主制御回路の内部構成を示すブロック図である。
【図１２−１】従来のメダルセレクタの構成を示す平面図である（表面図）。
【図１２−２】従来のメダルセレクタの構成を示す平面図である（裏面図）。
【図１３−１】正規メダルの通過経路を示す説明図である。
【図１３−２】不正メダルの通過経路を示す説明図である。
【図１４−１】不正部材の概要を示す構成図である。
【図１４−２】不正部材による不正行為の状態を示す説明図である。
【符号の説明】
【００９５】
１  パチスロ機
２  前面ドア
３  リールユニット
３Ｌ，３Ｃ，３Ｒ  リール
６Ｌ，６Ｒ  スピーカ
１１  台座部
１２  メダル投入口
１６  Ｃ／Ｐボタン
１７  スタートレバー
１８Ｌ，１８，１８Ｒ  停止ボタン
１９  メダル受け部
２０  メダル払い出し口
２３  排出ノズル
１００，１００ａ  メダルセレクタ
１１１  メダルレール
１１３  セレクトプレート
１２０  メダル検出センサ
１２０ａ，１２５  発光素子
１２０ｂ  受光素子
１２１  不正部材
１３０  サブプレート
１３３，１４３  切り欠き部
１４０  キャンセルシュータ
２００  物体阻止部材
２１０  本体部
２１１  上板部
２１２  側板部
２１３  傾斜部
２２０  取り付け板部
２２１，２２２  通孔
２３０  ねじ孔
２４０  ボス
【図１】
2007313117.tif 000003
【図２】
2007313117.tif 000004
【図３】
2007313117.tif 000005
【図４】
2007313117.tif 000006
【図５】
2007313117.tif 000007
【図６】
2007313117.tif 000008
【図７】
2007313117.tif 000009
【図８】
2007313117.tif 000010
【図９−１】
2007313117.tif 000011
【図９−２】
2007313117.tif 000012
【図１０−１】
2007313117.tif 000013
【図１０−２】
2007313117.tif 000014
【図１１】
2007313117.tif 000015
【図１２−１】
2007313117.tif 000016
【図１２−２】
2007313117.tif 000017
【図１３−１】
2007313117.tif 000018
【図１３−２】
2007313117.tif 000019
【図１４−１】
2007313117.tif 000020
【図１４−２】
2007313117.tif 000021